(57)【要約】【課題】母親等の撮影者と被写体である子供等との間で十分なコミュニケーションを図り、効率よく望むとおりの写真を撮影することができる写真撮影装置を提供する。【解決手段】被写体を撮影するための撮影用ブースと、撮影用ブースに設けられ、被写体を撮影するための撮影手段と、撮影用ブースに設けられ、被写体に見せるための被写体用画像を表示する被写体用表示手段と、撮影者に見せるための撮影者用画像を表示する撮影者用表示手段と、撮影者により操作される撮影者用操作手段とを有する写真撮影装置である。撮影者用操作手段による操作に基づいて、被写体用表示手段に表示する被写体用画像を生成する被写体用画像生成手段と、撮影者用操作手段による操作に基づいて、撮影手段による撮影を実行する撮影実行手段と、撮影者用表示手段に、被写体用画像生成手段により生成された被写体用画像を表示する画像表示手段とを有する。【選択図】図１７
2008310057.tif 000002
【特許請求の範囲】
【請求項１】
被写体を撮影するための撮影用ブースと、
前記撮影用ブースに設けられ、前記被写体を撮影するための撮影手段と、
前記撮影用ブースに設けられ、前記被写体に見せるための被写体用画像を表示する被写体用表示手段と、
撮影者に見せるための撮影者用画像を表示する撮影者用表示手段と、
前記撮影者により操作される撮影者用操作手段とを有する写真撮影装置であって、
前記撮影者用操作手段による操作に基づいて、前記被写体用表示手段に表示する前記被写体用画像を生成する被写体用画像生成手段と、
前記撮影者用操作手段による操作に基づいて、前記撮影手段による撮影を実行する撮影実行手段と、
前記撮影者用表示手段に、前記被写体用画像生成手段により生成された前記被写体用画像を表示する画像表示手段と
を有することを特徴とする写真撮影装置。
【請求項２】
被写体を撮影するための撮影用ブースと、
前記撮影用ブースに設けられ、前記被写体を撮影するための複数の撮影手段と、
前記撮影用ブースに、前記複数の撮影手段に関連して設けられ、前記被写体に見せるための被写体用画像を表示する複数の被写体用表示手段と、
撮影者に見せるための撮影者用画像を表示する撮影者用表示手段と、
前記撮影者により操作される撮影者用操作手段とを有する写真撮影装置であって、
前記撮影者用操作手段による操作に基づいて、前記被写体用画像を表示する前記被写体用表示手段を選択する被写体用表示手段選択手段と、
前記撮影者用操作手段による操作に基づいて、選択された前記被写体用表示手段に表示する前記被写体用画像を生成する被写体用画像生成手段と、
前記撮影者用操作手段による操作に基づいて、選択された前記被写体用表示手段に関連する前記撮影手段による撮影を実行する撮影実行手段と、
前記撮影者用表示手段に、前記被写体用画像生成手段により生成された前記被写体用画像を表示する画像表示手段と
を有することを特徴とする写真撮影装置。
【請求項３】
被写体を撮影するための撮影用ブースと、
前記撮影用ブースに設けられ、前記被写体を撮影するための撮影手段と、
前記撮影用ブースに設けられ、前記被写体に見せるための被写体用画像を表示する被写体用表示手段と、
撮影者に見せるための撮影者用画像を表示する撮影者用表示手段と、
前記撮影者により操作される撮影者用操作手段とを有する写真撮影装置であって、
前記撮影者用操作手段による操作に基づいて、前記被写体用表示手段に表示する前記被写体用画像を生成する被写体用画像生成手段と、
前記撮影者用操作手段による操作に基づいて、前記撮影手段による撮影を実行する撮影実行手段と、
前記撮影者用表示手段に、前記被写体用画像生成手段により生成された前記被写体用画像と、前記撮影手段により撮影される被写体画像を表示する画像表示手段と
を有することを特徴とする写真撮影装置。
【請求項４】
被写体を撮影するための撮影用ブースと、
前記撮影用ブースに設けられ、前記被写体を撮影するための複数の撮影手段と、
前記撮影用ブースに、前記複数の撮影手段に関連して設けられ、前記被写体に見せるための被写体用画像を表示する複数の被写体用表示手段と、
撮影者に見せるための撮影者用画像を表示する撮影者用表示手段と、
前記撮影者により操作される撮影者用操作手段とを有する写真撮影装置であって、
前記撮影者用操作手段による操作に基づいて、前記被写体用画像を表示する前記被写体用表示手段を選択する被写体用表示手段選択手段と、
前記撮影者用操作手段による操作に基づいて、選択された前記被写体用表示手段に表示する前記被写体用画像を生成する被写体用画像生成手段と、
前記撮影者用操作手段による操作に基づいて、選択された前記被写体用表示手段に関連する前記撮影手段による撮影を実行する撮影実行手段と、
前記撮影者用表示手段に、前記被写体用画像生成手段により生成された前記被写体用画像と、前記複数の撮影手段により撮影される複数の被写体画像を表示する画像表示手段と
を有することを特徴とする写真撮影装置。
【請求項５】
請求項１乃至４のいずれか１項に記載の写真撮影装置において、
前記被写体用画像生成手段は、
前記撮影者用操作手段による操作に基づいて、前記被写体用画像の種類を決定する第１決定手段と、
前記撮影者用操作手段による操作に基づいて、前記被写体用画像の動作を決定する第２決定手段とを有し、
前記第１決定手段により決定された種類の画像に、前記第２決定手段により決定された動作を行わせる前記被写体用画像を生成する
ことを特徴とする写真撮影装置。
【請求項６】
被写体を撮影するための撮影用ブースと、
前記撮影用ブースに設けられ、前記被写体を撮影するための撮影手段と、
前記撮影用ブースに設けられ、前記撮影手段による撮影時に閃光を発生する閃光発生手段とを有する写真撮影装置であって、
前記撮影用ブースに、前記被写体の撮影位置を表示する位置表示照明を照射する照明手段を有し、
前記照明手段による位置表示照明の強度を、前記閃光発生手段による閃光の強度よりも弱くした
ことを特徴とする写真撮影装置。
【請求項７】
請求項６記載の写真撮影装置において、
前記撮影手段による撮影作業中は、前記照明手段による前記位置表示照明を照射し続ける
ことを特徴とする写真撮影装置。
【請求項８】
請求項６記載の写真撮影装置において、
前記撮影手段による撮影作業の前に、前記照明手段による前記位置表示照明を照射し、
前記撮影手段による撮影作業中は、前記照明手段による前記位置表示照明を照射しない
ことを特徴とする写真撮影装置。
【請求項９】
被写体を撮影するための撮影用ブースと、前記撮影用ブースに設けられ、前記被写体を撮影するための撮影手段と、前記撮影用ブースに設けられ、前記被写体に見せるための被写体用画像を表示する被写体用表示手段と、撮影者に見せるための撮影者用画像を表示する撮影者用表示手段と、前記撮影者により操作される撮影者用操作手段とを有する写真撮影装置の制御方法であって、
前記撮影者用操作手段による操作に基づいて、前記被写体用表示手段に表示する前記被写体用画像を生成するステップと、
前記撮影者用表示手段に、前記被写体用画像生成手段により生成された前記被写体用画像を表示するステップと、
前記撮影者用操作手段による操作に基づいて、前記撮影手段による撮影を実行するステップと
を有することを特徴とする写真撮影装置の制御方法。
【請求項１０】
被写体を撮影するための撮影用ブースと、前記撮影用ブースに設けられ、前記被写体を撮影するための複数の撮影手段と、前記撮影用ブースに、前記複数の撮影手段に関連して設けられ、前記被写体に見せるための被写体用画像を表示する複数の被写体用表示手段と、撮影者に見せるための撮影者用画像を表示する撮影者用表示手段と、前記撮影者により操作される撮影者用操作手段とを有する写真撮影装置の制御方法であって、
前記撮影者用操作手段による操作に基づいて、前記被写体用画像を表示する前記被写体用表示手段を選択するステップと、
前記撮影者用操作手段による操作に基づいて、選択された前記被写体用表示手段に表示する前記被写体用画像を生成するステップと、
前記撮影者用表示手段に、前記被写体用画像生成手段により生成された前記被写体用画像を表示するステップと、
前記撮影者用操作手段による操作に基づいて、選択された前記被写体用表示手段に関連する前記撮影手段による撮影を実行するステップと
を有することを特徴とする写真撮影装置の制御方法。
【請求項１１】
被写体を撮影するための撮影用ブースと、前記撮影用ブースに設けられ、前記被写体を撮影するための撮影手段と、前記撮影用ブースに設けられ、前記被写体に見せるための被写体用画像を表示する被写体用表示手段と、撮影者に見せるための撮影者用画像を表示する撮影者用表示手段と、前記撮影者により操作される撮影者用操作手段とを有する写真撮影装置の制御方法であって、
前記撮影者用操作手段による操作に基づいて、前記被写体用表示手段に表示する前記被写体用画像を生成するステップと、
前記撮影者用操作手段による操作に基づいて、前記撮影手段による撮影を実行するステップとを有し、
前記撮影者用表示手段に、前記生成された前記被写体用画像と、前記撮影手段により撮影される被写体画像とを表示する
ことを特徴とする写真撮影装置の制御方法。
【請求項１２】
被写体を撮影するための撮影用ブースと、前記撮影用ブースに設けられ、前記被写体を撮影するための複数の撮影手段と、前記撮影用ブースに、前記複数の撮影手段に関連して設けられ、前記被写体に見せるための被写体用画像を表示する複数の被写体用表示手段と、撮影者に見せるための撮影者用画像を表示する撮影者用表示手段と、前記撮影者により操作される撮影者用操作手段とを有する写真撮影装置の制御方法であって
前記撮影者用操作手段による操作に基づいて、前記被写体用画像を表示する前記被写体用表示手段を選択するステップと、
前記撮影者用操作手段による操作に基づいて、選択された前記被写体用表示手段に表示する前記被写体用画像を生成するステップと、
前記撮影者用操作手段による操作に基づいて、選択された前記被写体用表示手段に関連する前記撮影手段による撮影を実行するステップとを有し、
前記撮影者用表示手段の一部に、前記生成された前記被写体用画像と、前記複数の撮影手段により撮影される複数の被写体画像とを表示する
を有することを特徴とする写真撮影装置の制御方法。
【請求項１３】
請求項９乃至１２のいずれか１項に記載の写真撮影装置の制御方法において、
前記被写体用画像を生成するステップは、
前記撮影者用操作手段による操作に基づいて、前記被写体用画像の種類を決定する第１のステップと、
前記撮影者用操作手段による操作に基づいて、前記被写体用画像の動作を決定する第２のステップとを有し、
前記第１のステップにより決定された種類の画像に、前記第２のステップにより決定された動作を行わせる前記被写体用画像を生成する
ことを特徴とする写真撮影装置の制御方法。
【請求項１４】
被写体を撮影するための撮影用ブースと、前記撮影用ブースに設けられ、前記被写体を撮影するための撮影手段と、前記撮影用ブースに設けられ、前記撮影手段による撮影時に閃光を発生する閃光発生手段とを有する写真撮影装置の制御方法であって、
前記撮影用ブースに、前記被写体の撮影位置を表示する位置表示照明を照射し、
前記位置表示照明の強度を、前記閃光発生手段による閃光の強度よりも弱くした
ことを特徴とする写真撮影装置の制御方法。
【請求項１５】
請求項１４記載の写真撮影装置の制御方法において、
前記撮影手段による撮影作業中は、前記位置表示照明を照射し続ける
ことを特徴とする写真撮影装置の制御方法。
【請求項１６】
請求項１４記載の写真撮影装置の制御方法において、
前記撮影手段による撮影作業の前に、前記位置表示照明を照射し、
前記撮影手段による撮影作業中は、前記位置表示照明を照射しない
ことを特徴とする写真撮影装置の制御方法。
【発明の詳細な説明】
【技術分野】
【０００１】
本発明は、子供等の被写体の写真を撮影するための写真撮影装置及びその制御方法に関する。
【背景技術】
【０００２】
近年、ゲームセンターでは、１０代の女性を中心にゲーム性を備えた写真シール印刷装置が人気を集めている。この種の写真シール印刷装置では、利用者は、カーテン等で囲われた撮影空間において、他人の目を気にすることなく自由なポーズで撮影を行い、撮影終了後は、タッチパネル付きディスプレイに撮影画像を表示し、タッチペンやスタンプ画像等を使用して撮影画像に好みの編集を施した後、編集済みの画像を１０〜２０枚程度の小画像に縮め、１枚のシール紙上にレイアウトして印刷するというのが、一般的な利用形態である。
【０００３】
一方、子供連れの家族の場合には、子供の誕生日や七五三の祝いの日などに、照明・撮影設備の整った写真館でプロのカメラマンにより子供の写真を撮影してもらい、これを記念に残すといったことも一般的に行われている。そして、親の方には、こういった記念日に限らず日常的に子供の成長の過程を撮影してもらい出来栄えの良い記念写真を残したいという希望があるが、写真館の利用料金は一般に高額であり、また予約が必要であるなど制約が大きいため、気軽に写真館を利用することができないのが現状である。
【０００４】
このような状況を踏まえ、子供連れの家族等のために、気軽に簡単に安価に出来栄えの良い記念写真を撮影することができる様々な写真撮影装置が開発されている。
【０００５】
例えば、撮影スタジオ等において、一人のカメラマンでも客とのコミュニケーションを十分に取りながら、客の要望に沿った写真を撮影することができるようにするために、デジタルカメラのピント合わせ、カメラアングル調節、チルト角度調節、ズーミング、カメラ上下位置調節等の必要な操作を遠隔操作で行うリモートコントローラを設け、被写体の注意を喚起して、視線をカメラ側に向けさせるようにした写真撮影装置が知られている（特許文献１参照）。
【０００６】
また、動きのある乳幼児や児童を被写体とし、また照明の制御をより容易にするために、カメラによる写真撮影の際の被写体に対する照明を発する複数の側壁を有し、複数の側壁に囲まれた被写体の位置の上方が開口している什器式写真撮影用スタジオ装置が知られている（特許文献２参照）。
【０００７】
また、利用者の好みに合う写真を、ゆっくり楽しみながら、撮影、編集できるようにするために、 利用者による操作を受け付ける機能および利用者に対し各種表示を行う機能をもつ複数のサテライトと、利用者である被写体を撮影するための複数のスタジオと、前記スタジオで撮影した被写体画像を元にした画像をプリントするプリンタシステムとを備えた自動写真館が知られている（特許文献３、特許文献４参照）。
【特許文献１】特開２００１−３１３８４９号公報
【特許文献２】特開２００６−１８４６１２号公報
【特許文献３】特開２００７−１３６３７号公報
【特許文献４】特開２００７−４２０７８号公報
【発明の開示】
【発明が解決しようとする課題】
【０００８】
従来の撮影装置及び制御方法では、被写体である子供を喜ばせるための被写体用画像を表示していた場合においても、撮影者にはどのような画像が被写体に対して表示されているか把握できるものは無かった。そのため、子供が好むと推測した静止画や動画などの被写体用画像を表示していても、実際にどのタイミングで子供がどのような表情をしたかは把握できないため、撮影者が狙った表情を撮影することは難しく、結果として無駄な時間が多く掛かるという問題があった。
【０００９】
また、被写体である子供の興味を引くような画像を流すものはあっても、その画像を操作したり、操作された画像と実際の子供の表情を撮影者に対して合わせて表示したりするものは無かった。
【００１０】
また、撮影用ブースにおいては、自動的に非常に短い時間内に撮影用手段の焦点を調整可能な高級なカメラを用いた場合でも、特に被写体が子供である場合には、撮影者の指示などが伝わりづらく、またはしゃぎ回ることでピントや画角の合う適正な焦点距離の位置を把握して撮影されることが難しく、結果として焦点位置のあった写真がなかなか撮影できないという問題があった。
【００１１】
このような問題への対応方法として、例えば、撮影用ブースの床や壁などに目印として何らかのマークやシールなどを予め貼り付けておいたりすることも考えられるが、その場合においては床部分までを含めた子供の全身写真などを撮影する際には撮影された写真にそのような目印が写りこむこととなり、結果として目障りな場合があった。特に、マット合成と呼ばれる背景を青または白などの単色で撮影する必要がある場合などには、そのような目印が撮影画像に写りこんだ場合には修正する加工が必要となるため、案内するための位置を表示した上で写真には写りこまないような目印の表示方法が求められていた。
【００１２】
本発明の目的は、子供連れの家族等のための写真撮影装置であって、母親等の撮影者と被写体である子供等との間で十分なコミュニケーションを図り、効率よく望むとおりの写真を撮影することができる写真撮影装置及びその制御方法を提供することにある。
【課題を解決するための手段】
【００１３】
本発明の一態様による写真撮影装置は、被写体を撮影するための撮影用ブースと、前記撮影用ブースに設けられ、前記被写体を撮影するための撮影手段と、前記撮影用ブースに設けられ、前記被写体に見せるための被写体用画像を表示する被写体用表示手段と、撮影者に見せるための撮影者用画像を表示する撮影者用表示手段と、前記撮影者により操作される撮影者用操作手段とを有する写真撮影装置であって、前記撮影者用操作手段による操作に基づいて、前記被写体用表示手段に表示する前記被写体用画像を生成する被写体用画像生成手段と、前記撮影者用操作手段による操作に基づいて、前記撮影手段による撮影を実行する撮影実行手段と、前記撮影者用表示手段に、前記被写体用画像生成手段により生成された前記被写体用画像を表示する画像表示手段とを有することを特徴とする。
【００１４】
本発明の一態様による写真撮影装置は、被写体を撮影するための撮影用ブースと、前記撮影用ブースに設けられ、前記被写体を撮影するための複数の撮影手段と、前記撮影用ブースに、前記複数の撮影手段に関連して設けられ、前記被写体に見せるための被写体用画像を表示する複数の被写体用表示手段と、撮影者に見せるための撮影者用画像を表示する撮影者用表示手段と、前記撮影者により操作される撮影者用操作手段とを有する写真撮影装置であって、前記撮影者用操作手段による操作に基づいて、前記被写体用画像を表示する前記被写体用表示手段を選択する被写体用表示手段選択手段と、前記撮影者用操作手段による操作に基づいて、選択された前記被写体用表示手段に表示する前記被写体用画像を生成する被写体用画像生成手段と、前記撮影者用操作手段による操作に基づいて、選択された前記被写体用表示手段に関連する前記撮影手段による撮影を実行する撮影実行手段と、前記撮影者用表示手段に、前記被写体用画像生成手段により生成された前記被写体用画像を表示する画像表示手段とを有することを特徴とする。
【００１５】
本発明の一態様による写真撮影装置は、被写体を撮影するための撮影用ブースと、前記撮影用ブースに設けられ、前記被写体を撮影するための撮影手段と、前記撮影用ブースに設けられ、前記被写体に見せるための被写体用画像を表示する被写体用表示手段と、撮影者に見せるための撮影者用画像を表示する撮影者用表示手段と、前記撮影者により操作される撮影者用操作手段とを有する写真撮影装置であって、前記撮影者用操作手段による操作に基づいて、前記被写体用表示手段に表示する前記被写体用画像を生成する被写体用画像生成手段と、前記撮影者用操作手段による操作に基づいて、前記撮影手段による撮影を実行する撮影実行手段と、前記撮影者用表示手段に、前記被写体用画像生成手段により生成された前記被写体用画像と、前記撮影手段により撮影される被写体画像を表示する画像表示手段とを有することを特徴とする。
【００１６】
本発明の一態様による写真撮影装置は、被写体を撮影するための撮影用ブースと、前記撮影用ブースに設けられ、前記被写体を撮影するための複数の撮影手段と、前記撮影用ブースに、前記複数の撮影手段に関連して設けられ、前記被写体に見せるための被写体用画像を表示する複数の被写体用表示手段と、撮影者に見せるための撮影者用画像を表示する撮影者用表示手段と、前記撮影者により操作される撮影者用操作手段とを有する写真撮影装置であって、前記撮影者用操作手段による操作に基づいて、前記被写体用画像を表示する前記被写体用表示手段を選択する被写体用表示手段選択手段と、前記撮影者用操作手段による操作に基づいて、選択された前記被写体用表示手段に表示する前記被写体用画像を生成する被写体用画像生成手段と、前記撮影者用操作手段による操作に基づいて、選択された前記被写体用表示手段に関連する前記撮影手段による撮影を実行する撮影実行手段と、前記撮影者用表示手段に、前記被写体用画像生成手段により生成された前記被写体用画像と、前記複数の撮影手段により撮影される複数の被写体画像を表示する画像表示手段とを有することを特徴とする。
【００１７】
上述した写真撮影装置において、前記被写体用画像生成手段は、前記撮影者用操作手段による操作に基づいて、前記被写体用画像の種類を決定する第１決定手段と、前記撮影者用操作手段による操作に基づいて、前記被写体用画像の動作を決定する第２決定手段とを有し、前記第１決定手段により決定された種類の画像に、前記第２決定手段により決定された動作を行わせる前記被写体用画像を生成するようにしてもよい。
【００１８】
本発明の一態様による写真撮影装置は、被写体を撮影するための撮影用ブースと、前記撮影用ブースに設けられ、前記被写体を撮影するための撮影手段と、前記撮影用ブースに設けられ、前記撮影手段による撮影時に閃光を発生する閃光発生手段とを有する写真撮影装置であって、前記撮影用ブースに、前記被写体の撮影位置を表示する位置表示照明を照射する照明手段を有し、前記照明手段による位置表示照明の強度を、前記閃光発生手段による閃光の強度よりも弱くしたことを特徴とする。
【００１９】
上述した写真撮影装置において、前記撮影手段による撮影作業中は、前記照明手段による前記位置表示照明を照射し続けるようにしてもよい。
【００２０】
上述した写真撮影装置において、前記撮影手段による撮影作業の前に、前記照明手段による前記位置表示照明を照射し、前記撮影手段による撮影作業中は、前記照明手段による前記位置表示照明を照射しないようにしてもよい。
【００２１】
本発明の一態様による写真撮影装置の制御方法は、被写体を撮影するための撮影用ブースと、前記撮影用ブースに設けられ、前記被写体を撮影するための撮影手段と、前記撮影用ブースに設けられ、前記被写体に見せるための被写体用画像を表示する被写体用表示手段と、撮影者に見せるための撮影者用画像を表示する撮影者用表示手段と、前記撮影者により操作される撮影者用操作手段とを有する写真撮影装置の制御方法であって、前記撮影者用操作手段による操作に基づいて、前記被写体用表示手段に表示する前記被写体用画像を生成するステップと、前記撮影者用表示手段に、前記被写体用画像生成手段により生成された前記被写体用画像を表示するステップと、前記撮影者用操作手段による操作に基づいて、前記撮影手段による撮影を実行するステップとを有することを特徴とする。
【００２２】
本発明の一態様による写真撮影装置の制御方法は、被写体を撮影するための撮影用ブースと、前記撮影用ブースに設けられ、前記被写体を撮影するための複数の撮影手段と、前記撮影用ブースに、前記複数の撮影手段に関連して設けられ、前記被写体に見せるための被写体用画像を表示する複数の被写体用表示手段と、撮影者に見せるための撮影者用画像を表示する撮影者用表示手段と、前記撮影者により操作される撮影者用操作手段とを有する写真撮影装置の制御方法であって、前記撮影者用操作手段による操作に基づいて、前記被写体用画像を表示する前記被写体用表示手段を選択するステップと、前記撮影者用操作手段による操作に基づいて、選択された前記被写体用表示手段に表示する前記被写体用画像を生成するステップと、前記撮影者用表示手段に、前記被写体用画像生成手段により生成された前記被写体用画像を表示するステップと、前記撮影者用操作手段による操作に基づいて、選択された前記被写体用表示手段に関連する前記撮影手段による撮影を実行するステップとを有することを特徴とする。
【００２３】
本発明の一態様による写真撮影装置の制御方法は、被写体を撮影するための撮影用ブースと、前記撮影用ブースに設けられ、前記被写体を撮影するための撮影手段と、前記撮影用ブースに設けられ、前記被写体に見せるための被写体用画像を表示する被写体用表示手段と、撮影者に見せるための撮影者用画像を表示する撮影者用表示手段と、前記撮影者により操作される撮影者用操作手段とを有する写真撮影装置の制御方法であって、前記撮影者用操作手段による操作に基づいて、前記被写体用表示手段に表示する前記被写体用画像を生成するステップと、前記撮影者用操作手段による操作に基づいて、前記撮影手段による撮影を実行するステップとを有し、前記撮影者用表示手段に、前記生成された前記被写体用画像と、前記撮影手段により撮影される被写体画像とを表示することを特徴とする。
【００２４】
本発明の一態様による写真撮影装置の制御方法は、被写体を撮影するための撮影用ブースと、前記撮影用ブースに設けられ、前記被写体を撮影するための複数の撮影手段と、前記撮影用ブースに、前記複数の撮影手段に関連して設けられ、前記被写体に見せるための被写体用画像を表示する複数の被写体用表示手段と、撮影者に見せるための撮影者用画像を表示する撮影者用表示手段と、前記撮影者により操作される撮影者用操作手段とを有する写真撮影装置の制御方法であって前記撮影者用操作手段による操作に基づいて、前記被写体用画像を表示する前記被写体用表示手段を選択するステップと、前記撮影者用操作手段による操作に基づいて、選択された前記被写体用表示手段に表示する前記被写体用画像を生成するステップと、前記撮影者用操作手段による操作に基づいて、選択された前記被写体用表示手段に関連する前記撮影手段による撮影を実行するステップとを有し、前記撮影者用表示手段の一部に、前記生成された前記被写体用画像と、前記複数の撮影手段により撮影される複数の被写体画像とを表示するを有することを特徴とする。
【００２５】
上述した写真撮影装置の制御方法において、前記被写体用画像を生成するステップは、前記撮影者用操作手段による操作に基づいて、前記被写体用画像の種類を決定する第１のステップと、前記撮影者用操作手段による操作に基づいて、前記被写体用画像の動作を決定する第２のステップとを有し、前記第１のステップにより決定された種類の画像に、前記第２のステップにより決定された動作を行わせる前記被写体用画像を生成するようにしてもよい。
【００２６】
本発明の一態様による写真撮影装置の制御方法は、被写体を撮影するための撮影用ブースと、前記撮影用ブースに設けられ、前記被写体を撮影するための撮影手段と、前記撮影用ブースに設けられ、前記撮影手段による撮影時に閃光を発生する閃光発生手段とを有する写真撮影装置の制御方法であって、前記撮影用ブースに、前記被写体の撮影位置を表示する位置表示照明を照射し、前記位置表示照明の強度を、前記閃光発生手段による閃光の強度よりも弱くしたことを特徴とする。
【００２７】
上述した写真撮影装置の制御方法において、前記撮影手段による撮影作業中は、前記位置表示照明を照射し続けるようにしてもよい。
【００２８】
上述した写真撮影装置の制御方法において、前記撮影手段による撮影作業の前に、前記位置表示照明を照射し、前記撮影手段による撮影作業中は、前記位置表示照明を照射しないようにしてもよい。
【発明の効果】
【００２９】
本願発明によれば、被写体を撮影するための撮影用ブースと、前記撮影用ブースに設けられ、前記被写体を撮影するための撮影手段と、前記撮影用ブースに設けられ、前記被写体に見せるための被写体用画像を表示する被写体用表示手段と、撮影者に見せるための撮影者用画像を表示する撮影者用表示手段と、前記撮影者により操作される撮影者用操作手段とを有する写真撮影装置であって、前記撮影者用操作手段による操作に基づいて、前記被写体用表示手段に表示する前記被写体用画像を生成する被写体用画像生成手段と、前記撮影者用操作手段による操作に基づいて、前記撮影手段による撮影を実行する撮影実行手段とを有し、前記撮影者用表示手段に、前記被写体用画像生成手段により生成された前記被写体用画像を表示するようにしたので、子供連れの家族等のための写真撮影装置であって、母親等の撮影者と被写体である子供等との間で十分なコミュニケーションを図り、効率よく望むとおりの写真を撮影することができる。
【発明を実施するための最良の形態】
【００３０】
［一実施形態］
本発明の一実施形態による写真撮影装置について、以下、図面を用いて説明する。
【００３１】
（自動写真館）
本実施形態による写真撮影装置を設けた自動写真館の概要について図１を用いて説明する。図１は自動写真館の店内構造を示す配置図である。
【００３２】
なお、本実施形態における「写真」には、被写体の像をレンズを通して感光材料の上に結像させたアナログ写真や、被写体の像をレンズを通してＣＣＤ等の感光素子の上に結像させたデジタル写真を含むと共に、これらアナログ写真やデジタル写真にＣＧ（Ｃｏｍｐｕｔｅｒ Ｇｒａｐｈｉｃ）を合成したものも含む。更には、ビデオカメラ等により撮像され、連続的に見ると残像効果で動いているように見える動画や、その動画中の連続していない単独の画像である静止画、これら動画や静止画に音声を伴うものを含む。
【００３３】
自動写真館１には、サーバー２、カウンタ３、サテライト４、プリンタ５、キッズスタジオ６、ベビースタジオ７等の各設備が配置されている。
【００３４】
サーバー２は、自動写真館１全体を制御するための設備である。カウンタ３は、利用者が店内で使用するＩＣカード９（図４参照）の発行を行い、また会計を行うための設備である。サテライト４は、撮影済みの画像を編集するための設備であり、コンピュータを設置したテーブルと、１つ以上の椅子からなる。キッズスタジオ５、ベビースタジオ６は、カメラ、照明、背景等を備えた自動写真撮影スタジオである。撮影対象とする子供の年代等によって、必要とする機材・機能が多少異なるため、キッズスタジオ５、ベビースタジオ６の２種が設けられている。各設備の詳細な構成・機能等については後述する。
【００３５】
なお、自動写真館１には、図１には示されていないが、これらサーバー２、カウンタ３、サテライト４、キッズスタジオ５、ベビースタジオ６を制御するものとして、サーバーシステム１０、カウンタシステム２０、サテライトシステム３０、プリンタシステム４０、キッズスタジオシステム５０、ベビースタジオシステム６０が設置されている。
【００３６】
また、自動写真館１内には、以上の設備のほか、撮影時に使用する貸衣装を収納した衣装棚、衣装を着替えるための部屋、撮影に使用するぬいぐるみ等の小物を収納する棚、トイレ、靴箱、退屈した子供を遊ばせるためのプレイエリア、機材等を保管するためのバックヤード等、自動写真館１の運営に必要なさまざまな設備が設けられている。
【００３７】
（自動写真館のシステム）
次に、本実施形態の写真撮影装置が設けられた自動写真館のシステムについて、図２を用いて説明する。図２は自動写真館のシステムの構成を示すブロック図である。
【００３８】
サーバーシステム１０は、主として自動写真館システム全体で使用する各種のファイルを記録しており、他のシステムからの要求に従ってデータを提供する、いわゆるファイルサーバとして機能する。
【００３９】
カウンタシステム２０は、ＩＣカード９の発行、印刷状況の確認、会計等の、自動写真館の運営に必要な業務を行う。
【００４０】
サテライトシステム３０、キッズスタジオシステム５０、ベビースタジオシステム６０は、主として利用者のためのシステムであり、それぞれ、画像（写真）の編集、画像の撮影に使用される。
【００４１】
プリンタシステム４０は、プリンタによる画像の印刷を制御するためのシステムである。
【００４２】
上述した各システムは、ＰＣ等のコンピュータに、ＩＣカードＲ／Ｗ（リーダー／ライター）や、タッチパネル式モニタなどの周辺機器を接続したものであり、通信回線によって、相互に通信可能に接続されている。したがって、例えば、サーバーシステム１０がサテライトシステム３０の稼動状況情報を受け取って、自動写真館システムの稼動状況を管理するためのファイルに記録しておき、これをカウンタシステム２０からの要求に従って送付し、カウンタシステム２０のタッチパネル式モニタに表示するといったことが可能である。
【００４３】
プリンタシステム４０、サテライトシステム３０、キッズスタジオシステム５０、ベビースタジオシステム６０は、利用者や画像印刷枚数の多寡に応じて同種のシステムを複数設置すればよい。
【００４４】
（自動写真館の利用の流れ）
次に、本実施形態の写真撮影装置が設けられた自動写真館の利用の流れについて、図３及び図４を用いて説明する。図３は自動写真館における利用者による自動写真館利用の流れを示すフローチャートであり、図４は自動写真館において使用されるカードを示す図である。
【００４５】
利用者は入店すると（ステップＳ１０）、カウンタ３で受付を行い（ステップＳ１１）、ＩＣカード９を受取る。利用者としては、親子連れ（特に母親とその子供からなる利用者グループ）が中心になると想定され、１利用者グループに対して１枚のＩＣカード９が渡される。ＩＣカード９には、利用者を識別するための固有のコードが記録されている。
【００４６】
次に、利用者は、空いているサテライト４等に移動して腰を下ろし、撮影に使用したいスタジオ６、７が空くのを待つ（ステップＳ１３）。このとき、初めての来店で店の利用方法が良く分からないような場合には、サテライトシステム３０を使用して利用方法の説明を見ることもできる。
【００４７】
目当てのスタジオ６、７を使用していた利用者が退出すると、スタジオ６、７の入口付近に設置された、スタジオが使用中であることを示すランプが消灯する。利用者は、消灯によってスタジオ６、７が使用可能になったことを確認し、スタジオ６、７に移動し、スタジオシステム５０、６０を使用して撮影を行う（ステップＳ１３）。
【００４８】
撮影終了後、引き続き別のスタジオ６、７で撮影したい場合には、そのスタジオ６、７が使用可能であることを確認後に移動して、再び撮影を行う。目当てのスタジオ６、７が使用中の場合には、サテライト４に引き返す（ステップＳ１４）。また、一旦撮影済み写真を表示して確認したい場合にも、サテライト４に引き返す（ステップＳ１４）。このとき、必ずしも来店後に腰を下ろしたサテライト４に戻る必要はなく、この時点で空いているサテライト４に向かえばよい。
【００４９】
サテライト４では、サテライトシステム３０を使用して、撮影した画像の確認、選択を行うことができる（ステップＳ１５）。そして、気に入った画像を選択した場合であっても、さらに撮影したい場合には、再びスタジオ６、７で撮影を行うことができる（ステップＳ１６）。
【００５０】
追加撮影の必要がない場合には、利用者はサテライトシステム３０を使用して選択済み画像の編集を行い、次に、最終的に印刷したい写真を選択して印刷指示する（ステップＳ１７）。
【００５１】
そして、印刷指示が終了した後は、カウンタ３に立ち寄って、ＩＣカード９を返却し、会計を済ませ、出力した写真を受取り（ステップＳ１８）、退店する（ステップＳ１９）。
【００５２】
なお、利用者が店内で使用するＩＣカード９には、利用者を識別するための固有のコードが記録されている。サテライトシステム３０、スタジオシステム５０、６０のいずれも、この固有のコードを判定し、正規の利用者以外からの操作を受け付けない。従って、例えば、利用者がカウンタ１２を通らずに（ＩＣカード９を受取らずに）サテライトシステム３０等を使用することはできない。
【００５３】
また、店の従業員は、カウンタシステム２０を使用して、サテライトシステム３０、スタジオシステム５０、６０の使用状況を表示することが可能であり、これによって、どの設備をどの利用者が使用しているのかをリアルタイムに把握することができる。
【００５４】
さらに、店内にいる利用者の数が適正範囲に収まるように、新たな利用者の受け入れを一時的に制限したり、サテライト４やスタジオ６、７の使用待ち時間を推測したりして、来店した利用者に予測待ち時間を教える等も可能になる。以上のようにすることで、利用者が長時間待たされて不満を持つといったことを回避することができる。
【００５５】
（サーバーシステム）
次に、自動写真館のサーバーシステムについて、図５を用いて説明する。図５は自動写真館のサーバーシステムの構成を示すブロック図である。
【００５６】
サーバーシステム１０は、図５に示すように、ＰＣ本体１１を有している。ＰＣ本体１１は、ＣＰＵ１１ａ、メモリ１１ｂ、磁気ディスク１１ｃ、画像出力部１１ｄ、通信インタフェース１１ｅがバスライン１２により接続されている。ＰＣ本体１１の画像出力部１１ｄにはサーバー用モニタ１３が接続され、サーバー用モニタ１３にはキーボード１４が接続されている。ＰＣ本体１１のバスライン１２にはＩＣカードＲ／Ｗ１５が接続されている。ＰＣ本体１１の通信インタフェース１１ｅは通信回線１６に接続されている。
【００５７】
（カウンタシステム）
次に、自動写真館のカウンタシステムについて、図６を用いて説明する。図６は自動写真館のカウンタシステムの構成を示すブロック図である。
【００５８】
カウンタシステム２０は、図６に示すように、ＰＣ本体２１を有している。ＰＣ本体２１は、ＣＰＵ２１ａ、メモリ２１ｂ、磁気ディスク２１ｃ、画像出力部２１ｄ、通信インタフェース２１ｅがバスライン２２により接続されている。ＰＣ本体２１の画像出力部２１ｄにはカウンタ用モニタ２３が接続され、カウンタ用モニタ２３にはタッチパネル２４が設けられている。ＰＣ本体２１のバスライン２２にはＩＣカードＲ／Ｗ２５が接続されている。ＰＣ本体２１の通信インタフェース２１ｅは通信回線２６に接続されている。
【００５９】
（サテライトシステム）
次に、自動写真館のサテライトシステムについて、図７を用いて説明する。図７は自動写真館のサテライトシステムの構成を示すブロック図である。
【００６０】
サテライトシステム３０は、図７に示すように、ＰＣ本体３１を有している。ＰＣ本体３１は、ＣＰＵ３１ａ、メモリ３１ｂ、磁気ディスク３１ｃ、画像出力部３１ｄ、通信インタフェース３１ｅがバスライン３２により接続されている。ＰＣ本体３１の画像出力部３１ｄにはサテライト用モニタ３３が接続され、サテライト用モニタ３３にはタッチパネル３４が設けられている。ＰＣ本体３１のバスライン３２にはＩＣカードＲ／Ｗ３５が接続されている。ＰＣ本体３１の通信インタフェース３１ｅは通信回線３６に接続されている。
【００６１】
（プリンタシステム）
次に、自動写真館のプリンタシステムについて、図８を用いて説明する。図８は自動写真館のプリンタシステムの構成を示すブロック図である。
【００６２】
プリンタシステム４０は、図８に示すように、ＰＣ本体４１を有している。ＰＣ本体４１は、ＣＰＵ４１ａ、メモリ４１ｂ、磁気ディスク４１ｃ、画像出力部４１ｄ、通信インタフェース４１ｅ、プリンタ制御部４１ｆがバスライン４２により接続されている。ＰＣ本体４１の画像出力部４１ｄにはプリンタ用モニタ４３が接続され、プリンタ用モニタ４３にはタッチパネル４４が設けられている。ＰＣ本体４１のバスライン４２にはＩＣカードＲ／Ｗ４５が接続されている。ＰＣ本体４１の通信インタフェース４１ｅは通信回線４６に接続されている。ＰＣ本体４１のプリンタ制御部４１ｆには複数台のプリンタ４７が接続されている。
【００６３】
（写真撮影装置）
次に、本実施形態による写真撮影装置について図面を用いて説明する。
【００６４】
本実施形態の写真撮影装置は、その用途により、キッズスタジオ６と、ベビースタジオ７が用意されている。キッズスタジオ６は、親の指示により立ち位置を変えたり、ポーズを取ったりすることができる、ある程度の年齢以上の子供を対象とした撮影スタジオである。ベビースタジオ７は、乳児の撮影を主体とするスタジオであり、子供を寝かせた状態で撮影するためのスタジオである。各スタジオの用途は異なるが、いずれも子供を撮影するためのスタジオという点では用途を同じくしており、撮影用カメラ、照明設備等の撮影スタジオとしての基本的な設備は同じである。
【００６５】
（キッズスタジオ）
本実施形態の写真撮影装置の一種であるキッズスタジオについて図９を用いて説明する。図９はキッズスタジオの外観を示す図である。図９（ａ）はキッズスタジオ６を斜め上方から見た図であり、図９（ｂ）はキッズスタジオ６の前方の内部から見た図である。
【００６６】
キッズスタジオ６の床には、ベースパネル１００が設けられている。外部から覗かれることがないように、ベースパネル１００上に設けられたリアパネル１０２、サイドパネル１０４、１０６、エッグシェル１０８により四方が囲まれた撮影用ブース（撮影用空間）が構成されている。撮影用ブースへの出入りは、サイドパネル１０４とエッグシェル１０８間の開放部分に設けられたスロープ１０９から行う。
【００６７】
キッズスタジオ６の天井には、写真撮影の際に閃光を発光するアッパーストロボ１１０、１１２が設けられている。キッズスタジオ６の前方上方には、写真撮影の際に発光するフロントストロボ１１４が設けられている。キッズスタジオ６のサイドパネル１０６には、写真撮影の際に発光するメインストロボ１１６が設けられている。
【００６８】
キッズスタジオ６の天井には、ベースパネル１００に被写体である子供等の立ち位置を案内する位置表示照明１１８を照射するポジションランプ１２０が設けられている。
【００６９】
キッズスタジオ６の天井には、ベースパネル１００に被写体である子供等の立ち位置を表示して、撮影者が被写体の位置を案内する位置表示照明１１８を照射するポジションランプ１２０が設けられている。
【００７０】
キッズスタジオ６の内部正面には、カメラボックス１２２が設けられている。カメラボックス１２２の正面には、被写体である子供等が見るためのモニタ１２４、１２６が縦方向に並んで設けられている。上側のモニタ１２４の上部にモニタ用カメラ１２８と撮影用カメラ１３０が設けられている。モニタ用カメラ１２８と撮影用カメラ１３０の近傍には、視線指示用のキャラクタＬＥＤ１３２が設けられている。下側のモニタ１２６の下部にはモニタ用カメラ１３４と撮影用カメラ１３６が設けられている。モニタ用カメラ１３４と撮影用カメラ１３６の近傍には、視線指示用のキャラクタＬＥＤ１３８が設けられている。上側のカメラ１２８の上部にはスピーカ１３９が設けられている。
【００７１】
キッズスタジオ６の天井のアッパーストロボ１１０及び１１２とフロントストロボ１１４の間には、カメラボックス１４０が設けられている。カメラボックス１４０の下面には、被写体である子供が見るためのモニタ１４２が設けられている。モニタ１４２の上部にはモニタ用カメラ１４４と撮影用カメラ１４６が設けられている。モニタ用カメラ１４４と撮影用カメラ１４６の近傍には視線指示用のキャラクタＬＥＤ１４８と、スピーカ１５０とが設けられている。
【００７２】
キッズスタジオ６内のカメラボックス１２２の側面には、撮影者である母親等が見るためのママモニタ１５２が設けられている。ママモニタ１５２には、撮影者である母親等が操作するためのタッチパネル１５４が設けられている。ママモニタ１５２の上部にはＩＣカードＲ／Ｗ（リーダー／ライター）１５６が設けられている。
【００７３】
このようにキッズスタジオ６の撮影用ブースには、正面の２台の撮影用カメラ１３０、１３６、上面の１台の撮影用カメラ１４６と、合計３台の撮影用カメラ１３０、１３６、１４６が設けられている。これら３台の撮影用カメラ１３０、１３６、１４６に対して、３台のモニタ１２４、１２６、１４２と、３台のモニタ用カメラ１２８、１３４、１４４が設けられている。
【００７４】
正面に２台の撮影用カメラ１３０、１３６を設けたのは、子供の場合、いくら母親が指示しても、撮影に最適な場所に移動し、最適なポーズをとってくれるとは限らない。このため、上下２台の撮影用カメラ１３０、１３６を使用して少しだけアングルを変えて撮影することにより、どちらかの撮影用カメラ１３０、１３６によりうまく撮影されている可能性を高めるためである。
【００７５】
モニタ用カメラ１２４、１２６、１４２は、３台の撮影用カメラ１３０、１３６、１４６のそれぞれ近傍に設置され、撮影用カメラ１３０、１３６、１４６によって撮影されるはずの画像とそれぞれほぼ同一の画像を撮像している。これは、撮影者がどのカメラで撮影すればどのような画像が取れるかをモニタリングするための補助用のものであって、撮影用カメラ１３０、１３６、１４６が画像を常時撮影者用表示手段に出力する機能を備えている場合であればそれぞれのモニタ用カメラを撮影用カメラで代用しても構わない。
【００７６】
（キッズスタジオシステムの構成）
次に、キッズスタジオシステムについて図１０及び図１１を用いて説明する。図１０はキッズスタジオシステムの構成の概略を示すブロック図である。
【００７７】
キッズスタジオシステム５０は、１台のスタジオメインＰＣ１６０と、２台のスタジオサブＰＣ１６２、１６４とから構成され、これらスタジオメインＰＣ１６０、スタジオサブＰＣ１６２、１６４は相互にＬＡＮ接続され、外部の通信回線に接続されている。
【００７８】
スタジオメインＰＣ１６０には、３台のモニタ用カメラ１２８、１３４、１４４と、１台の撮影用カメラ１３０と、ママモニタ１５２と、タッチパネル１５４と、３台のモニタ１２４、１２６、１４２が接続されている。
【００７９】
スタジオサブＰＣ１６２には１台の撮影用カメラ１３６が接続され、スタジオサブＰＣ１６４には１台の撮影用カメラ１４６が接続されている。
【００８０】
スタジオメインＰＣ１６０は、撮影タイミングを検出すると、撮影用カメラ１３０を使用して撮影を行うとともに、必要に応じてスタジオサブＰＣ１６２、１６４のいずれか、あるいは両方に通信回線を経由して、撮影時刻等を指定したコマンドを送出する。スタジオサブＰＣ１６２、１６４は、スタジオメインＰＣ１６０からコマンドを受信すると、撮影用カメラ１３６、１４６を使用して撮影を行う。
【００８１】
撮影した画像は、撮影を行ったスタジオメインＰＣ１６０又はスタジオサブＰＣ１６２、１６４の磁気ディスク等に一時的に記録され、サーバーシステム１０に転送される。
【００８２】
このように、キッズスタジオシステム５０の主要な機能はスタジオメインＰＣ１６０が制御しており、スタジオサブＰＣ１６２、１６４は所謂リモートカメラ制御装置として機能する。このように構成することにより、撮影のための制御や、多数枚の撮影画像の処理に対する負荷を分散させている。なお、高性能なＰＣを用いて１台のメインＰＣにより全ての制御や処理を行うようにしてもよい。
【００８３】
次に、キッズスタジオシステム５０のスタジオメインＰＣ１６０について図１１を用いて説明する。図１１はキッズスタジオシステム５０のスタジオメインＰＣ１６０の構成の詳細を示すブロック図である。
【００８４】
スタジオメインＰＣ１６０は、図１１に示すように、ＰＣ本体１７０を有している。ＰＣ本体１７０は、ＣＰＵ１７０ａ、メモリ１７０ｂ、磁気ディスク１７０ｃ、モニタ用カメラ制御部１７０ｄ、撮影用カメラ制御部１７０ｅ、ストロボ制御部１７０ｆ、音声出力部１７０ｇ、通信インタフェース１７０ｈ、操作モニタ制御部１７０ｉ、モニタ画像出力部１７０ｊ、ＬＥＤランプ制御部１７０ｋが、バスライン１７０ｌにより接続されている。
【００８５】
モニタ用カメラ制御部１７０ｄには３台のモニタ用カメラ１２８、１３４、１４４が接続されている。撮影用カメラ制御部１７０ｅには撮影用カメラ１３０が接続されている。ストロボ制御部１７０ｆにはメインストロボ１１６、フロントストロボ１１４、アッパーストロボ１１０、１１２が接続されている。音声出力部１７０ｇにはスピーカ１３９、１５０が接続されている。通信インタフェース１７０ｈには通信回線が接続されている。操作モニタ制御部１７０ｉにはママモニタ１５２とタッチパネル１５４が接続されている。モニタ画像出力部１７０ｊには３台のモニタ１２４、１２６、１４２が接続されている。ＬＥＤランプ制御部１７０ｋにはＬＥＤランプ１３２、１３８、１４８が接続されている。
【００８６】
（ベビースタジオ）
本実施形態の写真撮影装置の一種であるベビースタジオについて図１２を用いて説明する。図１２はベビースタジオの外観を示す図である。
【００８７】
ベビースタジオ７には、被写体である乳児を寝かすための撮影用ベッド２００が設けられている。撮影用ベッド２００上に設けられたリアパネル２０２、サイドパネル２０４、カメラボックス２２２により三方が囲まれて撮影用ブースが構成されている。撮影用ブースへの被写体である幼児の出し入れは、サイドパネル２０４の反対側の開放部から行う。
【００８８】
ベビースタジオ７の天井には、写真撮影の際に発光するアッパーストロボ２１０（図示せず）が設けられている。ベビースタジオ７の前方上方には、写真撮影の際に発光するフロントストロボ２１４が設けられている。ベビースタジオ７のサイドパネル２０４には、写真撮影の際に発光するメインストロボ２１６が設けられている。
【００８９】
ベビースタジオ７の天井には、撮影用ベッド２００に被写体である幼児を寝かす位置を案内する位置表示照明２１８を照射するポジションランプ２２０（図示せず）が設けられている。
【００９０】
ベビースタジオ７の内部正面には、カメラボックス２２２が設けられている。カメラボックス２２２の正面には、被写体である子供等が見るためのモニタ２２４が設けられている。モニタ２２４の下部にモニタ用カメラ２２８と撮影用カメラ２３０が設けられている。モニタ用カメラ２２８と撮影用カメラ２３０の近傍には、視線指示用のキャラクタＬＥＤ２３２が設けられている。モニタ２２４の側部にはスピーカ２３９が設けられている。
【００９１】
ベビースタジオ７の天井には、被写体である幼児が見るためのモニタ２４２が設けられている。モニタ２４２の近傍にはモニタ用カメラ２４４と撮影用カメラ２４６が設けられている。モニタ用カメラ２４４と撮影用カメラ２４６の近傍には視線指示用のキャラクタＬＥＤ２４８と、スピーカ２５０（図示せず）とが設けられている。
【００９２】
ベビースタジオ７内のカメラボックス２２２の側面には、撮影者である母親等が見るためのママモニタ２５２が設けられている。ママモニタ２５２には、撮影者である母親等が操作するためのタッチパネル２５４が設けられている。ママモニタ２５２の下部にはＩＣカードＲ／Ｗ（リーダー／ライター）２５６が設けられている。
【００９３】
このようにベビースタジオ７には、撮影用ブースには、正面の１台の撮影用カメラ２３０と、上面の１台の撮影用カメラ２４６と、合計２台の撮影用カメラ２３０、２４６が設けられている。これら２台の撮影用カメラ２３０、２４６に対して、２台のモニタ２２４、２４２と、２台のモニタ用カメラ２２８、２４４が設けられている。
【００９４】
モニタ用カメラ２２８、２４４は、２台の撮影用カメラ２３０、２４６のそれぞれ近傍に設置され、撮影用カメラ２３０、２４６によって撮影されるはずの画像とそれぞれほぼ同一の画像を撮像している。
【００９５】
このように、ベビースタジオ７には、２台の撮影用カメラ２３０、２４６しか設置されていない。被写体である乳児は動きが乏しいため、見上げたポーズを撮影する撮影用カメラ２４６と横向きのポーズを撮影する撮影用カメラ２３０の２台で撮影可能だからである。
【００９６】
（ベビースタジオシステムの構成）
次に、ベビースタジオシステムについて図１３及び図１４を用いて説明する。図１２はベビースタジオシステムの構成の概略を示すブロック図である。
【００９７】
ベビースタジオシステム６０は、１台のスタジオメインＰＣ２６０と、１台のスタジオサブＰＣ２６２とから構成され、これらスタジオメインＰＣ２６０、スタジオサブＰＣ２６２は相互にＬＡＮ接続され、外部の通信回線に接続されている。
【００９８】
スタジオメインＰＣ２６０には、２台のモニタ用カメラ２２８、２４４と、１台の撮影用カメラ２３０と、ママモニタ２５２と、タッチパネル２５４と、２台のモニタ２２４、２４２が接続されている。
【００９９】
スタジオサブＰＣ２６２には１台の撮影用カメラ２３６が接続されている。
【０１００】
スタジオメインＰＣ２６０は、撮影タイミングを検出すると、撮影用カメラ２３０を使用して撮影を行うとともに、必要に応じてスタジオサブＰＣ２６２に通信回線を経由して、撮影時刻等を指定したコマンドを送出する。スタジオサブＰＣ２６２は、スタジオメインＰＣ２６０からコマンドを受信すると、撮影用カメラ２３６を使用して撮影を行う。
【０１０１】
撮影した画像は、撮影を行ったスタジオメインＰＣ２６０又はスタジオサブＰＣ２６２の磁気ディスク等に一時的に記録され、サーバーシステム１０に転送される。
【０１０２】
このように、ベビースタジオシステム６０の主要な機能はスタジオメインＰＣ２６０が制御しており、スタジオサブＰＣ２６２は所謂リモートカメラ制御装置として機能する。このように構成することにより、撮影のための制御や、多数枚の撮影画像の処理に対する負荷を分散させている。なお、高性能なＰＣを用いて１台のメインＰＣにより全ての制御や処理を行うようにしてもよい。
【０１０３】
次に、ベビースタジオシステム６０のスタジオメインＰＣ２６０について図１４を用いて説明する。図１４はベビースタジオシステム６０のスタジオメインＰＣ２６０の構成の詳細を示すブロック図である。
【０１０４】
スタジオメインＰＣ２６０は、図１４に示すように、ＰＣ本体２７０を有している。ＰＣ本体２７０は、ＣＰＵ２７０ａ、メモリ２７０ｂ、磁気ディスク２７０ｃ、モニタ用カメラ制御部２７０ｄ、撮影用カメラ制御部２７０ｅ、ストロボ制御部２７０ｆ、音声出力部２７０ｇ、通信インタフェース２７０ｈ、操作モニタ制御部２７０ｉ、モニタ画像出力部２７０ｊ、ＬＥＤランプ制御部２７０ｋが、バスライン２７０ｌにより接続されている。
【０１０５】
モニタ用カメラ制御部２７０ｄには２台のモニタ用カメラ２２８、２４４が接続されている。撮影用カメラ制御部２７０ｅには撮影用カメラ２３０が接続されている。ストロボ制御部２７０ｆにはメインストロボ２１６、フロントストロボ２１４、アッパーストロボ２１０が接続されている。音声出力部２７０ｇにはスピーカ２３９、２５０が接続されている。通信インタフェース２７０ｈには通信回線が接続されている。操作モニタ制御部２７０ｉにはママモニタ２５２とタッチパネル２５４が接続されている。モニタ画像出力部２７０ｊには２台のモニタ２２４、２４２が接続されている。ＬＥＤランプ制御部２７０ｋにはＬＥＤランプ２３２、２４８が接続されている。
【０１０６】
（写真撮影装置の制御方法）
次に、本実施形態の写真撮影装置の制御方法について説明する。キッズスタジオの制御方法を例として、図１５乃至図２０を用いて説明する。図１５はキッズスタジオの制御方法のフローチャートであり、図１６乃至図２０はキッズスタジオの制御方法におけるママモニタの表示画面を示す図である。
【０１０７】
なお、本実施形態の写真撮影装置としては、キッズスタジオとベビースタジオが用意されているが、撮影用カメラ、照明設備等の撮影スタジオとしての基本的な設備は同じであるので、その制御方法も同様であり、キッズスタジオの制御方法をベビースタジオの制御方法に適用することができることは言うまでもない。
【０１０８】
キッズスタジオ６では、撮影用空間に、３台の撮影用カメラ１３０、１３６、１４６が設けられ、これら３台の撮影用カメラ１３０、１３６、１４６に対して、３台のモニタ用カメラ１２８、１３４、１４４と３台のモニタ１２４、１２６、１４２が設けられている。３台のモニタ１２４、１２６、１４２には、選択されたモードに応じて３台のモニタ用カメラ１２８、１３４、１４４で撮像された映像がそれぞれ表示されるか、または、撮影者の操作によって選択されたいずれかひとつのモニタに被写体に見せるための被写体用画像が表示される。それにより、被写体は被写体用画像に注意が引かれ、撮影者の操作により選択されたモニタの方を向くことになる。
【０１０９】
更に、キッズスタジオ６には、ママモニタ１５２と、タッチパネル１５４が設けられている。撮影者である母親等がママモニタ１５２を見ながら、タッチパネル１５４にタッチすることにより様々な操作を行う。
【０１１０】
キッズスタジオにおいて、撮影者の操作によってスタジオメインＰＣ１６０が撮影シーケンスを開始すると、まず、スタジオメインＰＣ１６０は、キッズスタジオ６についての様々な開始処理を行う（ステップＳ２０）。
【０１１１】
続いて、スタジオメインＰＣ１６０の操作モニタ制御部１７０ｉにより、今回、撮影者が撮影することができる所定の撮影時間を設定する（ステップＳ２１）。
【０１１２】
次に、スタジオメインＰＣ１６０の操作モニタ制御部１７０ｉにより、ママモニタ１５２にモード選択画面（図１６（ａ））を表示させる（ステップＳ２２）。
【０１１３】
モード選択画面には、図１６（ａ）に示すように、「撮影モードを選択してね！」の文字と共に、「オートモード」の説明とその選択ボタン、「マニュアルモード」の説明とその選択ボタンが表示される。
【０１１４】
次に、タッチパネル１５４により、撮影者による例えば「マニュアルモード」の選択ボタンへのタッチが検出されると、操作モニタ制御部１７０ｉにより「マニュアルモード」が選択され（ステップＳ２３）、操作モニタ制御部１７０ｉにより、ママモニタ１５２にマニュアルモード内の各種のコース選択画面（図１６（ｂ））を表示させる（ステップＳ２４）。
【０１１５】
コース選択画面には、図１６（ｂ）に示すように、「コースを選択してね！」の文字と共に、「ゲームコース」の説明とその選択ボタン、「ダンスコース」の説明とその選択ボタン、「ポーズコース」の説明とその選択ボタン、「おもちゃコース」の説明とその選択ボタン、「シンプル撮影コース」の説明とその選択ボタンが表示される。
【０１１６】
次に、タッチパネル１５４により、撮影者による例えば「おもちゃコース」の選択ボタンへのタッチが検出されると、操作モニタ制御部１７０ｉにより「おもちゃコース」が選択され（ステップＳ２５）、操作モニタ制御部１７０ｉにより、ママモニタ１５２にコース画面（図１７）を表示させる（ステップＳ２６）。
【０１１７】
コース画面には、図１７に示すように、最上部に、各種タイトルを表示するタイトル領域３００が設けられ、タイトル領域３００の下部に、各種アクション操作を行うための帯状のアクション操作領域３１０が設けられ、アクション操作領域３１０の下部に、モニタ用カメラ１２８、１３４、１４４による撮像映像を表示するモニタ映像領域３２０が設けられている。
【０１１８】
タイトル領域３００には、撮影モードである「マニュアルモード」の文字３０２と、選択コースである「おもちゃコース」の文字３０４が表示される。
【０１１９】
アクション操作領域３１０には、最左部に、モニタ１２４、１２６、１４２のプレビュー画面３１２が設けられ、プレビュー画面３１２の右側に、おもちゃコースのおもちゃ選択ボタン３１４が設けられ、おもちゃ選択ボタン３１４の右側に、アクションボタン３１６が設けられている。
【０１２０】
おもちゃ選択ボタン３１４は、例えば、図１７に示すように、被写体である子供等が注目しそうな１０種類のおもちゃ選択ボタン３１４ａ〜３１４ｊから構成されている。
【０１２１】
モニタ映像領域３２０には、３台のモニタ用カメラ１２８、１３４、１４４により撮像された３つのモニタ映像３２２ａ、３２２ｂ、３２２ｃがリアルタイムで表示される。各モニタ映像３２２ａ、３２２ｂ、３２２ｃの下部には、撮影のためのショットボタン３２４ａ、３２４ｂ、３２４ｃがそれぞれ表示されている。
【０１２２】
次に、タッチパネル１５４により、撮影者による、モニタ映像３２２ａ、３２２ｂ、３２２ｃのいずれかへのタッチが検出されると、操作モニタ制御部１７０ｉにより、被写体である子供等にコンテンツ（おもちゃ）を見せるモニタ１２４、１２６、１４２からいずれかひとつのモニタが選択される（ステップＳ２７）。
【０１２３】
続いて、タッチパネル１５４により、撮影者による、おもちゃ選択ボタン３１４へのタッチが検出されると、操作モニタ制御部１７０ｉにより、被写体である子供等に見せるコンテンツ（おもちゃ）が選択され（ステップＳ２８）、撮影者のタッチパネル１５４への操作によって、操作によって選択されたコンテンツに対応する被写体用画像データがスタジオメインＰＣ１６０によって生成され、ママモニタ１５２のプレビュー画面３１２のプレビュー用の低解像度のプレビュー版が表示され、同時に操作モニタ制御部１７０ｉにより、撮影者により選択されたモニタ１２４、１２６、１４２のいずれかに、対応する生成された被写体用画像データの被写体用高解像度の被写体用動画コンテンツ（おもちゃ）が表示される（ステップＳ２９）。
【０１２４】
図１８（ａ）に示すように、例えば、「ねこ」を示すおもちゃ選択ボタン３１４ｆがタッチされると、図１８（ｂ）に示すように、撮影者により選択されたモニタ１２４、１２６、１４２のいずれかに「ねこ」が表示される。この場合、ママモニタ１５２にはモニタ用カメラ１２８、１３４、１４４それぞれによって撮像された被写体の画像と、スタジオメインＰＣ１６０によって生成された被写体用画像データとが一画面に合成されて表示されており、その時点でどのような画像が被写体である子供に対して表示され、それによって子供がどのような表情・動作をしているのかがわかり、複数あるカメラでそれぞれどのような写真が撮影可能かが簡便に把握可能である。
【０１２５】
撮影者により、随時、コンテンツ（おもちゃ）の変更も可能である。コンテンツ（おもちゃ）を変更したい場合には、変更したいコンテンツのおもちゃ選択ボタン３１４にタッチして選択する（ステップＳ２８）。例えば、「ほし」を示すおもちゃ選択ボタン３１４ａがタッチされると、コンテンツとして「ほし」が選択され（ステップＳ２８）、図１８（ｂ）に示すように、対応したコンテンツの被写体用画像が生成され、それぞれの撮影者プレビュー用画像と被写体用画像とがママモニタ１５２のプレビュー画面３１２と撮影者により選択されたモニタ１２４、１２６、１４２のいずれかに表示され、コンテンツが「ねこ」から「ほし」に変化する（ステップＳ２９）。このようにしてコンテンツ（おもちゃ）が決定される（ステップＳ３０）。
【０１２６】
続いて、タッチパネル１５４により、撮影者によるアクションボタン３１６へのタッチが検出されると、選択されているコンテンツ（おもちゃ）が所定のアクションを行う画像がスタジオメインＰＣ１６０によって生成され（ステップＳ３１）、ママモニタ１５２のプレビュー画面３１２にアクション画像データとして表示され、同時に操作モニタ制御部１７０ｉにより、撮影者により選択されたモニタ１２４、１２６、１４２のいずれかに、コンテンツ（おもちゃ）のアクション画像データが表示される（ステップＳ３２）。
【０１２７】
コンテンツ（おもちゃ）のアクションは、各コンテンツ（おもちゃ）に対して、１種類又は複数種類のアクションが生成される画像パターンが予め定められている。複数種類のアクションが定められている場合には、例えば、所定の順番により定められた、又は、ランダムに定められたコンテンツ（おもちゃ）のアクション画像が生成される。
【０１２８】
図１９に示すように、例えば「ぶた」のコンテンツの場合には、最初は後ろ向きに小さく表示された「ぶた」が、正面を向いて大きくなるアクションを起こす（図１９（ｂ））。これにより、被写体である子供等の注意を強く喚起し、選択したモニタ１２４、１２６、１４２のいずれかに顔を向かせることができる。
【０１２９】
次に、タッチパネル１５４により、撮影者によるショットボタン３２４ａ、３２４ｂ、３２４ｃへのタッチが検出されると（ステップＳ３３）、撮影用カメラ制御部１７０ｅ等により、選択されたモニタ１２４、１２６、１４２に対応するいずれかの撮影用カメラ１３０、１３６、１４６により写真撮影が行われる（ステップＳ３４）。この場合、例えば天井部のモニタ１４２に選択された画像を表示しながら、下部カメラショットボタン３２４ｃへの操作入力を行うなど、選択したモニタに対応したカメラとは異なるカメラでママモニタ１５２内のモニタ映像３２２ａ、３２２ｂ、３２２ｃから画像を確認しながら撮影することも可能である。
【０１３０】
次に、スタジオメインＰＣ１６０の操作モニタ制御部１７０ｉにより、所定の撮影時間が終了したか否か判断する（ステップＳ３５）。
【０１３１】
所定の撮影時間が終了していなければ、ステップＳ２２に戻って、上述した処理を繰り返し、モードの選択（ステップＳ２２〜Ｓ２３）、コースの選択（ステップＳ２４〜Ｓ２６）、モニタ１２４、１２６、１４２のいずれかの選択（ステップＳ２７）、コンテンツ（おもちゃ）の選択・表示（ステップＳ２８〜Ｓ３０）、アクションの選択・表示（ステップＳ３１〜Ｓ３２）を行い、被写体である子供等の注意を喚起しながら、撮影用カメラ１３０、１３６、１４６のいずれかにより写真撮影を行う（ステップＳ３３〜Ｓ３４）。
【０１３２】
なお、所定の撮影時間が終了していない場合に、ステップＳ２２ではなくステップＳ２７に戻るようにして、モードの選択やコースの選択を省略して、モニタ１２４、１２６、１４２のいずれかの選択（ステップＳ２７）、コンテンツ（おもちゃ）の選択・表示（ステップＳ２８〜Ｓ３０）、アクションの選択・表示（ステップＳ３１〜Ｓ３２）を行い、被写体である子供等の注意を喚起しながら、撮影用カメラ１３０、１３６、１４６のいずれかにより写真撮影を行う（ステップＳ３３〜Ｓ３４）ようにしてもよい。
【０１３３】
このように構成することにより、撮影者は被写体用表示手段にどのような被写体用画像が表示されているかを確認しながら、撮影実行手段による撮影の実行が可能となった。従来のものでは被写体用表示手段にどのような被写体用画像が表示されているかをリアルタイムに確認しながら撮影をすることが出来なかったのに対し、リアルタイムで被写体用画像を確認できることで被写体である子供の反応の良い画像を確認しながら撮影が実行できるため、より簡便に様々な子供の表情を引き出して撮影をすることが可能となった。
【０１３４】
また、被写体画像を確認しながら、さらに被写体用画像の操作と撮影の実行とが可能となったため、適切なタイミングで撮影操作を実行することが可能となり、より適切なタイミングでの撮影が可能となった。
【０１３５】
（ポジションランプの制御方法）
本実施形態の写真撮影装置には、上述したように、被写体である子供等の撮影位置を案内する位置表示照明を照射するポジションランプが設けられている。このポジションランプの制御方法について図面を用いて説明する。
【０１３６】
（キッズスタジオにおけるポジションランプの制御方法）
まず、本実施形態の写真撮影装置の一種であるキッズスタジオ６の場合について、ポジションランプの制御方法について、図２１を用いて説明する。
【０１３７】
キッズスタジオ６では、その天井に、ベースパネル１００に位置表示照明１１８を照射するポジションランプ１２０が設けられている。
【０１３８】
キッズスタジオ６で撮影を行う際に、被写体である子供等をカメラに対して最適な位置で撮影できるように誘導するために、図２１（ｂ）に示すように、ポジションランプ１２０から位置表示照明１１８を照射する。
【０１３９】
位置表示照明１１８は、例えば、図２１（ｂ）に示すように、円形であり、被写体である子供に対して理解しやすい目印が映し出されるようにする。
【０１４０】
なお、位置表示照明１１８の模様は、図２１（ｂ）に示す足跡の模様に限らず、十字の照準のようなマークや、動物の絵柄、足の位置を示す靴のマーク等の他の模様であってもよい。
【０１４１】
また、位置表示照明１１８の模様を時間的に変化させるようにしてもよい。
【０１４２】
また、子供にどちら向きで撮影すれば良いかの指示をする目的であれば、カメラ正面方向に対して左右方向を向いた異なる方向の靴のマークを撮影者の操作に応じて選択されて向きのマークが表示されるようにしてもよい。
【０１４３】
ポジションランプ１２０の点灯制御は、図２１（ａ）に示すようにして行う。
【０１４４】
キッズスタジオ６のＩＣカードＲ／Ｗ１５６に、ＩＣカード９が挿入されておらず、撮影者からのＩＣカード９の挿入を待っているスタンバイ状態の場合には、ポジションランプ１２０を消灯させておく。
【０１４５】
次に、撮影者によりＩＣカードＲ／Ｗ１５６にＩＣカード９が挿入され、キッズスタジオ６による撮影作業中には、ポジションランプ１２０を常に点灯させておく。撮影作業が終了し、ＩＣカードＲ／Ｗ１５６からＩＣカード９が引き抜かれと、ポジションランプ１２０を消灯する。
【０１４６】
このように、キッズスタジオ６では、ＩＣカードＲ／Ｗ１５６にＩＣカード９が挿入されている間は常にポジションランプ１２０を点灯させておく。
【０１４７】
撮影作業中は常にポジションランプ１２０を点灯させておくので、モニタ用カメラ１２８、１３４、１４４により撮像されたモニタ映像に、ポジションランプ１２０による位置表示照明１１８が撮像される。
【０１４８】
しかしながら、撮影用カメラ１３０、１３６、１４６による写真撮影の際には、アッパーストロボ１１０、１１２、フロントストロボ１１４、メインストロボ１１６による強力なストロボが照射されるので、ポジションランプ１２０による位置表示照明１１８が撮影した写真に写ることはなく、位置表示照明１１８が邪魔になることはない。
【０１４９】
このような構成により、被写体である子供の足元の床を含んだ全身写真を撮影した場合でも、撮影された写真には位置決めのための邪魔な表示が写りこんで見栄えが悪くなることは無い。また、写真にはそのような位置表示案内は写ることはないため、マット合成などをする場合でもそれらの位置表示の案内マークなどを消去するような加工作業も不要である。
【０１５０】
（ベビースタジオにおけるポジションランプの制御方法）
本実施形態の写真撮影装置の一種であるベビースタジオ７の場合について、ポジションランプの制御方法について、図２２を用いて説明する。
【０１５１】
ベビースタジオ７では、その天井に、撮影用ベッド２００に位置表示照明２１８を照射するポジションランプ２２０が設けられている。
【０１５２】
ベビースタジオ７で撮影を行う際に、被写体である幼児等を、正しい位置と向きに寝かせて撮影できるようにするために、図２２（ｂ）に示すように、ポジションランプ２２０から位置表示照明２１８を照射する。
【０１５３】
位置表示照明２１８は、例えば、図２２（ｂ）に示すように、円形であり、撮影者が、被写体である幼児等を正しい位置と向きに寝かしたり、お座りをさせたりするようなキャラクタのイラストが映し出されるようにする。なお、位置表示照明２１８の模様は、図２２（ｂ）に示す模様に限らず、他の模様であってもよい。また、位置表示照明２１８の模様を時間的に変化させるようにしてもよい。
【０１５４】
ポジションランプ２２０の点灯制御は、図２２（ａ）に示すようにして行う。
【０１５５】
ベビースタジオ７のＩＣカードＲ／Ｗ２５６に、ＩＣカード９が挿入されておらず、撮影者からのＩＣカード９の挿入を待っているスタンバイ状態の場合には、ポジションランプ２２０を点灯させておく。
【０１５６】
次に、撮影者によりＩＣカードＲ／Ｗ２５６にＩＣカード９が挿入されると、ポジションランプ２２０を消灯させる。撮影作業中はポジションランプ２２０を消灯させておく。
【０１５７】
なお、ママモニタ２５２にポジションランプ２２０の点灯・消灯選択ボタン（図示せず）を表示させて、撮影者によりポジションランプ２２０の点灯・消灯を選択させるようにしてもよい。
【０１５８】
撮影作業が終了し、ＩＣカードＲ／Ｗ１５６からＩＣカード９が引き抜かれと、ポジションランプ１２０を再び点灯させる。
【０１５９】
このように、ベビースタジオ７では、ＩＣカードＲ／Ｗ２５６にＩＣカード９が挿入されていないスタンバイ状態の間はポジションランプ２２０を点灯させている。これは、ユーザは撮影作業を開始する前に、被写体である幼児等を撮影用ベッド２００に寝かせてから、ＩＣカード９を挿入するからである。
【０１６０】
そして、ＩＣカードＲ／Ｗ２５６にＩＣカード９が挿入された撮影作業中はポジションランプ２２０を基本的に消灯させている。これは、被写体が幼児等であるため、位置表示照明２１８により位置の表示による案内ができず、しかも、位置表示照明２１８が点灯していると被写体が眩しがった表情となるためである。
【０１６１】
なお、被写体である幼児等の正しい位置と向きを確認したい場合には、点灯・消灯選択ボタン（図示せず）を操作して、ポジションランプ２２０から一時的に位置表示照明２１８を点灯させることができる。
【０１６２】
［変形実施形態］
上述した実施形態はあくまで例示であって、本発明の要旨の範囲内において様々な変形が可能であることはいうまでもない。
【図面の簡単な説明】
【０１６３】
【図１】本発明の一実施形態による写真撮影装置が設けられた自動写真館の店内構造を示す配置図である。
【図２】本発明の一実施形態による写真撮影装置が設けられた自動写真館のシステムの構成を示すブロック図である。
【図３】自動写真館の利用の流れを示すフローチャートである。
【図４】自動写真館において使用されるカードを示す図である。
【図５】自動写真館のサーバーシステムの構成を示すブロック図である。
【図６】自動写真館のカウンタシステムの構成を示すブロック図である。
【図７】自動写真館のサテライトシステムの構成を示すブロック図である。
【図８】自動写真館のプリンタシステムの構成を示すブロック図である。
【図９】本発明の一実施形態による写真撮影装置の一種であるキッズスタジオの外観を示す図である。
【図１０】本発明の一実施形態による写真撮影装置の一種であるキッズスタジオシステムの構成の概略を示すブロック図である。
【図１１】本発明の一実施形態による写真撮影装置の一種であるキッズスタジオシステムの構成の詳細を示すブロック図である。
【図１２】本発明の一実施形態による写真撮影装置の一種であるベビースタジオの外観を示す図である。
【図１３】本発明の一実施形態による写真撮影装置の一種であるベビースタジオシステムの構成の概略を示すブロック図である。
【図１４】本発明の一実施形態による写真撮影装置の一種であるベビースタジオシステムの構成の詳細を示すブロック図である。
【図１５】キッズスタジオの制御方法のフローチャートである。
【図１６】キッズスタジオの制御方法における、ママモニタの表示画面を示す図（その１）である。
【図１７】キッズスタジオの制御方法における、ママモニタの表示画面を示す図（その２）である。
【図１８】キッズスタジオの制御方法における、ママモニタの表示画面を示す図（その３）である。
【図１９】キッズスタジオの制御方法における、ママモニタの表示画面を示す図（その４）である。
【図２０】キッズスタジオの制御方法における、ママモニタの表示画面を示す図（その５）である。
【図２１】キッズスタジオにおけるポジションランプの制御方法の説明図である。
【図２２】ベビースタジオにおけるポジションランプの制御方法の説明図である。
【符号の説明】
【０１６４】
１…自動写真館
２…サーバー
３…カウンタ
４…サテライト
５…プリンタ
６…キッズスタジオ
７…ベビースタジオ
９…ＩＣカード
１０…サーバーシステム
１１…ＰＣ本体
１１ａ…ＣＰＵ
１１ｂ…メモリ
１１ｃ…磁気ディスク
１１ｄ…画像出力部
１１ｅ…通信インタフェース
１２…バスライン
１３…サーバー用モニタ
１４…キーボード
１５…ＩＣカードＲ／Ｗ
１６…通信回線
２０…カウンタシステム
２１…ＰＣ本体
２１ａ…ＣＰＵ
２１ｂ…メモリ
２１ｃ…磁気ディスク
２１ｄ…画像出力部
２１ｅ…通信インタフェース
２２…バスライン
２３…カウンタ用モニタ
２４…タッチパネル
２５…ＩＣカードＲ／Ｗ
３０…サテライトシステム
３１…ＰＣ本体
３１ａ…ＣＰＵ
３１ｂ…メモリ
３１ｃ…磁気ディスク
３１ｄ…画像出力部
３１ｅ…通信インタフェース
３２…バスライン
３３…サテライト用モニタ
３４…タッチパネル
３５…ＩＣカードＲ／Ｗ
３６…通信回線
４０…プリンタシステム
４１…ＰＣ本体
４１ａ…ＣＰＵ
４１ｂ…メモリ
４１ｃ…磁気ディスク
４１ｄ…画像出力部
４１ｅ…通信インタフェース
４１ｆ…プリンタ制御部
４２…バスライン
４３…プリンタ用モニタ
４４…タッチパネル
４５…ＩＣカードＲ／Ｗ
４６…通信回線
４７…プリンタ
５０…キッズスタジオシステム
６０…ベビースタジオシステム
１００…ベースパネル
１０２…リアパネル
１０４、１０６…サイドパネル
１０８…エッグシェル
１０９…スロープ
１１０、１１２…アッパーストロボ
１１４…フロントストロボ
１１６…メインストロボ
１１８…位置表示照明
１２０…ポジションランプ
１２２、１４０…カメラボックス
１２４、１２６、１４２…モニタ
１２８、１３４、１４４…モニタ用カメラ
１３０、１３６、１４６…撮影用カメラ
１３２、１３８、１４８…キャラクタＬＥＤ
１３９、１５０…スピーカ
１５２…ママモニタ
１５４…タッチパネル
１５６…ＩＣカードＲ／Ｗ
１６０…スタジオメインＰＣ
１６２、１６４…スタジオサブＰＣ
１７０…ＰＣ本体
１７０ａ…ＣＰＵ
１７０ｂ…メモリ
１７０ｃ…磁気ディスク
１７０ｄ…モニタ用カメラ制御部
１７０ｅ…撮影用カメラ制御部
１７０ｆ…ストロボ制御部
１７０ｇ…音声出力部
１７０ｈ…通信インタフェース
１７０ｉ…操作モニタ制御部
１７０ｊ…モニタ画像出力部
１７０ｋ…ＬＥＤランプ制御部
１７０ｌ…バスライン
２００…撮影用ベッド
２０２…リアパネル
２０４…サイドパネル
２０６…カメラボックス
２１０…アッパーストロボ
２１４…フロントストロボ
２１６…メインストロボ
２１８…位置表示照明
２２０…ポジションランプ
２２２…カメラボックス
２２４、２４２…モニタ
２２８、２４４…モニタ用カメラ
２３０、２４６…撮影用カメラ
２３２、２４８…キャラクタＬＥＤ
２３９、２５０…スピーカ
２５２…ママモニタ
２５４…タッチパネル
２５６…ＩＣカードＲ／Ｗ
２６０…スタジオメインＰＣ
２６２…スタジオサブＰＣ
２７０…ＰＣ本体
２７０ａ…ＣＰＵ
２７０ｂ…メモリ
２７０ｃ…磁気ディスク
２７０ｄ…モニタ用カメラ制御部
２７０ｅ…撮影用カメラ制御部
２７０ｆ…ストロボ制御部
２７０ｇ…音声出力部
２７０ｈ…通信インタフェース
２７０ｉ…操作モニタ制御部
２７０ｊ…モニタ画像出力部
２７０ｋ…ＬＥＤランプ制御部
２７０ｌ…バスライン
３００…タイトル領域
３１０…アクション操作領域
３２０…モニタ映像領域
３１２…プレビュー画面
３１４、３１４ａ〜３１４ｊ…おもちゃ選択ボタン
３１６…アクションボタン
３２２ａ、３２２ｂ、３２２ｃ…モニタ映像
３２４ａ、３２４ｂ、３２４ｃ…ショットボタン
【図１】
2008310057.tif 000003
【図２】
2008310057.tif 000004
【図３】
2008310057.tif 000005
【図４】
2008310057.tif 000006
【図５】
2008310057.tif 000007
【図６】
2008310057.tif 000008
【図７】
2008310057.tif 000009
【図８】
2008310057.tif 000010
【図９】
2008310057.tif 000011
【図１０】
2008310057.tif 000012
【図１１】
2008310057.tif 000013
【図１２】
2008310057.tif 000014
【図１３】
2008310057.tif 000015
【図１４】
2008310057.tif 000016
【図１５】
2008310057.tif 000017
【図１６】
2008310057.tif 000018
【図１７】
2008310057.tif 000019
【図１８】
2008310057.tif 000020
【図１９】
2008310057.tif 000021
【図２０】
2008310057.tif 000022
【図２１】
2008310057.tif 000023
【図２２】
2008310057.tif 000024